(57)【要約】【課題】運転者の加速意図に対し、車両の挙動への反映度合いを向上させることが可能な、制駆動力制御装置及び制駆動力制御方法を提供する。【解決手段】運転者による制駆動力操作子の操作量を検出し、検出した操作量が未操作の状態から予め設定した所定操作量未満である範囲では、検出した操作量の増加に応じて制動力指令値を予め設定した初期制動力指令値から減少させ、検出した操作量が所定操作量以上である範囲では所定操作量と検出した操作量との偏差に応じた駆動力指令値を設定し、検出した操作量に応じて推定した運転者の加減速の意図が加速意図であると判断すると、所定操作量を初期値よりも小さく補正する。【選択図】図７
2015067264.tif 000002
【特許請求の範囲】
【請求項１】
制駆動力操作子の操作量に応じて車両に発生させる制動力の指令値である制動力指令値または駆動力の指令値である駆動力指令値を設定する制駆動力制御装置であって、
前記制駆動力操作子の操作量を検出する操作子操作量検出部と、
前記操作子操作量検出部が検出した操作量が未操作の状態から所定操作量未満である範囲では、前記検出した操作量の増加に応じて前記制動力指令値を予め設定した初期制動力指令値から減少させ、前記検出した操作量が前記所定操作量以上である範囲では、前記所定操作量と検出した操作量との偏差に応じた前記駆動力指令値を設定する制駆動力制御部と、
前記操作子操作量検出部が検出した操作に応じて、前記運転者の加減速の意図を推定する加減速意図推定部と、
前記加減速意図推定部が推定した運転者の加減速の意図に応じて、前記所定操作量を補正する所定操作量補正部と、を備え、
前記所定操作量補正部は、前記運転者の意図が加速意図であると判断すると、前記所定操作量を小さく補正することを特徴とする制駆動力制御装置。
【請求項２】
前記所定操作量補正部は、前記加減速意図推定部が推定した運転者の意図が加速意図であると、当該加速意図が大きいほど前記所定操作量を小さく補正することを特徴とする請求項１に記載した制駆動力制御装置。
【請求項３】
前記加減速意図推定部は、前記操作子操作量検出部が検出した操作量に基づいて算出した前記制駆動力操作子の操作速度が増加して予め設定した操作速度閾値を超えると、前記運転者の意図が加速意図であると推定することを特徴とする請求項１または請求項２に記載した制駆動力制御装置。
【請求項４】
前記所定操作量補正部は、前記加減速意図推定部が推定した意図が加速意図から車速維持意図に変化すると、前記加速意図の大きさに応じて補正した前記所定操作量が時間の経過につれて初期値へ復帰するように、前記所定操作量を補正することを特徴とする請求項１から請求項３のうちいずれか１項に記載した制駆動力制御装置。
【請求項５】
前記所定操作量補正部は、前記加減速意図推定部が推定した意図が加速意図から減速意図に変化すると、前記加速意図の大きさに応じて補正した前記所定操作量が時間の経過につれて初期値へ復帰するように、前記所定操作量を補正することを特徴とする請求項１から請求項４のうちいずれか１項に記載した制駆動力制御装置。
【請求項６】
制駆動力操作子の操作量に応じて車両に発生させる制動力の指令値である制動力指令値または駆動力の指令値である駆動力指令値を設定する制駆動力制御方法であって、
前記制駆動力操作子の操作量を検出し、
前記検出した操作量が未操作の状態から所定操作量未満である範囲では、前記検出した操作量の増加に応じて前記制動力指令値を予め設定した初期制動力指令値から減少させ、前記検出した操作量が前記所定操作量以上である範囲では、前記所定操作量と検出した操作量との偏差に応じた前記駆動力指令値を設定し、
前記検出した操作に応じて推定した運転者の加減速の意図が加速意図であると判断すると、前記所定操作量を小さく補正することを特徴とする制駆動力制御方法。
【発明の詳細な説明】
【技術分野】
【０００１】
本発明は、一つの制駆動力操作子に対する操作により車両の制動力及び駆動力を制御することで、車両に発生する前後方向への加速度を制御する、制駆動力制御装置及び制駆動力制御方法に関する。
【背景技術】
【０００２】
従来、運転者による一つの制駆動力操作子に対する操作（アクセル操作）により車両の制動力及び駆動力を制御することで、車両に発生する前後方向への加速度（加速度及び減速度）を制御する技術として、例えば、特許文献１に記載されている技術がある。
特許文献１に記載されている技術では、運転者の操作により変化した制駆動力操作子（ペダル）の開度が基準開度以下である場合には、加速度及び減速度のうち減速度の目標値のみを設定する。そして、目標値の減速度のみを車両に発生させるために、スロットルバルブの開度を調整する。
【先行技術文献】
【特許文献】
【０００３】
【特許文献１】特開２０００−２０５０１５号公報
【発明の概要】
【発明が解決しようとする課題】
【０００４】
しかしながら、特許文献１に記載されている技術では、運転者の操作によるペダルの開度が基準開度以下である場合、加速度及び減速度のうち、減速度のみを車両に発生させる制御を行う。このため、運転者が加速意図を持ってペダルを操作した場合であっても、ペダルの開度が基準開度以下の状態では加速度が発生しないため、運転者の加速意図に対し、車両の挙動への反映度合いが低下するという問題が発生するおそれがある。
本発明は、上記のような問題点に着目してなされたもので、運転者の加速意図に対し、車両の挙動への反映度合いを向上させることが可能な、制駆動力制御装置及び制駆動力制御方法を提供することを目的とする。
【課題を解決するための手段】
【０００５】
上記課題を解決するために、本発明は、運転者の加減速の意図が加速意図であると判断すると、所定操作量を小さく補正する。
ここで、所定操作量は、制駆動力操作子の操作量が所定操作量以上である範囲では、所定操作量と検出した制駆動力操作子の操作量との偏差に応じた駆動力指令値を設定するための閾値であり、予め設定する。これに加え、所定操作量は、制駆動力操作子の操作量が未操作の状態から所定操作量未満である範囲では、制駆動力操作子の操作量の増加に応じて制動力指令値を予め設定した初期制動力指令値から減少させるための閾値である。
【発明の効果】
【０００６】
本発明によれば、運転者の意図が加速意図であると、補正していない初期値の所定操作量に対応する操作量よりも少ない制駆動力操作子の操作量で、所定操作量と制駆動力操作子の操作量との偏差に応じた駆動力指令値を設定することが可能となる。
これにより、運転者が加速意図を持って制駆動力操作子を操作した場合に、制駆動力操作子の操作量が補正していない初期値の所定操作量未満であっても、車両に駆動力を発生させて加速度を発生させることが可能となる。このため、運転者の加速意図に対し、車両の挙動への反映度合いを向上させることが可能となる。
【図面の簡単な説明】
【０００７】
【図１】本発明の第一実施形態の制駆動力制御装置を備える車両の概略構成を示すブロック図である。
【図２】制駆動力コントローラの構成を示すブロック図である。
【図３】運転者による加速意図が大きいと推定した場合に、制駆動力コントローラが行う処理を示すタイムチャートである。
【図４】運転者による加速意図が小さいと推定した場合に、制駆動力コントローラが行う処理を示すタイムチャートである。
【図５】運転者の意図が加速から車速の維持へ変化した場合に、制駆動力コントローラが行う処理を示すタイムチャートである。
【図６】運転者の意図が加速から減速へ変化した場合に、制駆動力コントローラが行う処理を示すタイムチャートである。
【図７】本発明の第一実施形態の制駆動力制御装置を用いて行なう動作のタイムチャートである。
【図８】制駆動力算出用ペダル開度と制動力指令値及び駆動力指令値との関係を示すマップである。
【発明を実施するための形態】
【０００８】
以下、本発明の実施形態について、図面を参照しつつ説明する。
（第一実施形態）
以下、本発明の第一実施形態（以下、本実施形態と記載する）について、図面を参照しつつ説明する。
（構成）
図１は、本実施形態の制駆動力制御装置１を備える車両Ｖの概略構成を示すブロック図である。
図１中に示すように、制駆動力制御装置１を備える車両Ｖは、アクセル操作量センサ２と、制駆動力コントローラ４と、ブレーキアクチュエータ６と、ホイールシリンダ８を備える。これに加え、制駆動力制御装置１を備える車両Ｖは、動力コントロールユニット１０と、動力ユニット１２と、車輪Ｗ（右前輪ＷＦＲ、左前輪ＷＦＬ、右後輪ＷＲＲ、左後輪ＷＲＬ）を備える。
【０００９】
アクセル操作量センサ２は、例えば、ペダルストロークセンサを用いて形成した、運転者による加減速ペダル１４（アクセルペダル）の踏み込み操作量を検出するセンサである。また、アクセル操作量センサ２は、運転者による加減速ペダル１４の踏み込み操作量を含む情報信号（以降の説明では、「踏み込み操作量信号」と記載する場合がある）を、制駆動力コントローラ４へ出力する。また、加減速ペダル１４は、車両Ｖの運転者が制動力要求または駆動力要求に応じて踏込むペダルである。
なお、アクセル操作量センサ２の構成は、ペダルストロークセンサを用いて形成した構成に限定するものではなく、例えば、運転者の踏み込み操作による加減速ペダル１４の開度を検出する構成としてもよい。
【００１０】
すなわち、アクセル操作量センサ２は、運転者による加減速ペダル１４の操作量を検出するセンサである。
制駆動力コントローラ４は、車両Ｖに発生させる制動力または駆動力を制御するものであり、マイクロコンピュータで構成する。なお、マイクロコンピュータは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備えた構成である。
【００１１】
また、制駆動力コントローラ４は、入力される各種の情報信号に基づいて後述する各種の処理を行い、ブレーキアクチュエータ６及び動力ユニット１２を制御するための指令信号（制動指令信号、駆動指令信号）を出力する。なお、制駆動力コントローラ４の具体的な構成については、後述する。
ここで、制動指令信号は、各ホイールシリンダ８の油圧を制御するための制動力指令値を含む情報信号である。また、制動力指令値は、車両Ｖの運転者による制動力要求に応じて、制駆動力コントローラ４により算出する。
【００１２】
一方、駆動指令信号は、動力ユニット１２が発生させる駆動力を制御するための駆動力指令値を含む情報信号である。また、駆動力指令値は、車両Ｖの運転者による駆動力要求に応じて、制駆動力コントローラ４により算出する。
ブレーキアクチュエータ６は、マスタシリンダ（図示せず）と各ホイールシリンダ８との間に介装した液圧制御装置である。また、ブレーキアクチュエータ６は、制駆動力コントローラ４から入力を受けた制動指令信号が含む制動力指令値に応じて、各ホイールシリンダ８の油圧を変化させ、各車輪Ｗに制動力を付与する。
【００１３】
ホイールシリンダ８は、ディスクブレーキを構成するブレーキパッド（図示せず）を、各車輪Ｗと一体に回転するディスクロータ（図示せず）に押し付けるための押圧力を発生する。
なお、図１中では、右前輪ＷＦＲに対して配置したホイールシリンダ８を、ホイールシリンダ８ＦＲと示し、左前輪ＷＦＬに対して配置したホイールシリンダ８を、ホイールシリンダ８ＦＬと示す。同様に、図１中では、右後輪ＷＲＲに対して配置したホイールシリンダ８を、ホイールシリンダ８ＲＲと示し、左後輪ＷＲＬに対して配置したホイールシリンダ８を、ホイールシリンダ８ＲＬと示す。また、以降の説明においても、各ホイールシリンダ８を、上記のように示す場合がある。
【００１４】
動力コントロールユニット１０は、制駆動力コントローラ４から入力を受けた駆動指令信号が含む駆動力指令値に応じて、動力ユニット１２が発生させる駆動力を制御する。なお、本実施形態では、後述するように、動力ユニット１２を、エンジンを用いて形成する。このため、動力コントロールユニット１０は、エンジンが発生させる駆動力に関する値（例えば、駆動トルク、回転数、トランスミッションのギヤ比）を制御する。
また、動力コントロールユニット１０は、動力ユニット１２（エンジン）が発生させている現在のトルク（エンジントルク）を含む情報信号（以降の説明では、「現在トルク信号」と記載する場合がある）を、制駆動力コントローラ４へ出力する。
動力ユニット１２は、車両Ｖの駆動力を発生させる構成であり、ドライブシャフト（図示せず）等を介して、各車輪Ｗに駆動力を付与する。なお、本実施形態では、一例として、動力ユニット１２を、エンジンを用いて形成した場合について説明する。
【００１５】
（制駆動力コントローラ４の具体的な構成）
次に、図１を参照しつつ、図２を用いて、制駆動力コントローラ４の具体的な構成について説明する。
図２は、制駆動力コントローラ４の構成を示すブロック図である。
図２中に示すように、制駆動力コントローラ４は、加減速意図推定部１６と、所定操作量補正部１８と、加減速Ｇ算出部２０と、制動力算出部２２と、駆動力算出部２４を備える。
加減速意図推定部１６は、アクセル操作量センサ２から入力を受けた踏み込み操作量信号が含む踏み込み操作量に基づき、予め設定したサンプリング時間で踏み込み操作量を除算する。これにより、加減速意図推定部１６は、加減速ペダル１４の操作速度（ペダル操作速度）を算出する。なお、本実施形態では、一例として、サンプリング時間を０．２[ｓ]に設定した場合について説明する。
【００１６】
そして、加減速意図推定部１６は、算出したペダル操作速度に基づき、運転者の加減速の意図を推定する。さらに、加減速意図推定部１６は、推定した加減速の意図を含む情報信号（以降の説明では、「運転者意図信号」と記載する場合がある）を、所定操作量補正部１８へ出力する。すなわち、加減速意図推定部１６は、アクセル操作量センサ２が検出した加減速ペダル１４の操作量に応じて、運転者の加減速の意図を推定する。なお、加減速意図推定部１６が運転者の加減速の意図を推定する処理については、後述する。
【００１７】
所定操作量補正部１８は、加減速意図推定部１６から入力を受けた運転者意図信号が含む加減速の意図に応じて、中立点を算出する。そして、算出した中立点を含む情報信号（以降の説明では、「中立点信号」と記載する場合がある）を、加減速Ｇ算出部２０へ出力する。なお、所定操作量補正部１８が中立点を算出する処理については、後述する。
ここで、中立点とは、車両Ｖに発生させる加速度と減速度を切り替える点、すなわち、制駆動力コントローラ４が出力する指令信号を、制動指令信号または駆動指令信号に切り替える点である。また、中立点は、踏み込み操作量信号が含む踏み込み操作量に応じた、加減速ペダル１４の開度（ペダル開度）に対応するパラメータである。
【００１８】
また、中立点とは、踏み込み操作量信号が含む踏み込み操作量であり、加減速ペダル１４（制駆動力操作子）の操作量に応じたパラメータである所定操作量を示す。また、所定操作量は、加減速ペダル１４の操作量が未操作の状態から所定操作量未満である範囲では、加減速ペダル１４の操作量の増加に応じて、制動力指令値を、後述する初期制動力指令値から減少させるための閾値である。これに加え、所定操作量は、加減速ペダル１４の操作量が所定操作量以上である範囲では、所定操作量と加減速ペダル１４の操作量との偏差に応じた駆動力指令値を設定するための閾値である。
【００１９】
加減速Ｇ算出部２０は、アクセル操作量センサ２から入力を受けた踏み込み操作量信号が含む踏み込み操作量と、所定操作量補正部１８から入力を受けた中立点信号が含む中立点に基づき、車両Ｖに発生させる制動力または駆動力を算出する。そして、車両Ｖに発生させる制動力を算出した場合、この算出した制動力を含む情報信号（以降の説明では、「制動力信号」と記載する場合がある）を、制動力算出部２２へ出力する。一方、車両Ｖに発生させる駆動力を算出した場合、この算出した駆動力を含む情報信号（以降の説明では、「駆動力信号」と記載する場合がある）を、駆動力算出部２４へ出力する。なお、加減速Ｇ算出部２０が制動力または駆動力を算出する処理については、後述する。
【００２０】
制動力算出部２２は、加減速Ｇ算出部２０から入力を受けた制動力信号が含む制動力に基づいて制動力指令値を算出する。そして、制動力算出部２２は、算出した制動力指令値を含む情報信号（以降の説明では、「制動力指令値信号」と記載する場合がある）を、ブレーキアクチュエータ６へ出力する。
駆動力算出部２４は、加減速Ｇ算出部２０から入力を受けた駆動力信号が含む駆動力に基づいて駆動力指令値を算出する。そして、駆動力算出部２４は、算出した駆動力指令値を含む情報信号（以降の説明では、「駆動力指令値信号」と記載する場合がある）を、動力コントロールユニット１０へ出力する。
【００２１】
（制駆動力コントローラ４が行う処理）
次に、図１及び図２を参照しつつ、図３から図６を用いて、運転者による加速意図に応じて、制駆動力コントローラ４が行う処理について説明する。
・運転者による加速意図の大きさに応じた処理
まず、図１及び図２を参照しつつ、図３及び図４を用いて、運転者による加速意図の大きさに応じて、制駆動力コントローラ４が行う処理について説明する。
運転者による加速意図の大きさに応じて制駆動力コントローラ４が行う処理は、例えば、図３及び図４中に示す処理である。
【００２２】
図３は、運転者による加速意図が大きいと推定した場合に、制駆動力コントローラ４が行う処理を示すタイムチャートである。また、図４は、運転者による加速意図が小さいと推定した場合に、制駆動力コントローラ４が行う処理を示すタイムチャートである。
また、図３及び図４中では、横軸に経過時間（図中では、「ｔｉｍｅ」と記載する）を示す。また、図３（ａ）及び図４（ａ）中では、縦軸に加減速ペダル１４の開度（図中では、「ペダル開度」と記載する）を示し、図３（ｂ）及び図４（ｂ）中では、縦軸に加減速ペダル１４の操作速度（図中では、「ペダル操作速度」と記載する）を示す。さらに、図３（ｃ）及び図４（ｃ）中では、縦軸に制動力指令値を示し、図３（ｄ）及び図４（ｄ）中では、縦軸に駆動力指令値を示す。
【００２３】
加速意図の大きさに応じて制駆動力コントローラ４が行う処理では、まず、加減速意図推定部１６により、加減速ペダル１４の操作速度が、予め設定した第一操作速度閾値を超えているか否かを判定する。
ここで、第一操作速度閾値と比較する加減速ペダル１４の操作速度は、図３（ｂ）中に示すように、加減速ペダル１４の開度が「０」である状態から、予め設定した判定時間ｔ１が経過するまでの操作速度を用いる。また、第一操作速度閾値は、例えば、運転者が、停車している車両Ｖを即座に発進させるための加速意図に対応する加減速ペダル１４の操作速度である。
【００２４】
また、加減速ペダル１４の開度が「０」である状態から判定時間ｔ１が経過するまでの加減速ペダル１４の操作速度が第一操作速度閾値を超えている場合、運転者による加速意図が大きいと推定する。そして、推定した加速意図を含む運転者意図信号を、所定操作量補正部１８へ出力する。
また、加減速意図推定部１６は、加減速ペダル１４の操作速度が第一操作速度閾値以下であると判定すると、次に、加減速ペダル１４の操作速度が、予め設定した第二操作速度閾値を超えているか否かを判定する。
【００２５】
ここで、第二操作速度閾値と比較する加減速ペダル１４の操作速度は、図４（ｂ）中に示すように、加減速ペダル１４の開度が「０」である状態から判定時間ｔ１が経過するまでの操作速度を用いる。また、第二操作速度閾値は、第一操作速度閾値未満の値であり、例えば、運転者が、停車している車両Ｖを緩やかに発進させるための加速意図に対応する加減速ペダル１４の操作速度である。
そして、加減速ペダル１４の開度が「０」である状態から判定時間ｔ１が経過するまでの加減速ペダル１４の操作速度が第二操作速度閾値を超えている場合、運転者による加速意図が小さいと推定する。そして、推定した加速意図を含む運転者意図信号を、所定操作量補正部１８へ出力する。
したがって、加減速意図推定部１６は、加減速ペダル１４の操作速度が増加して操作速度閾値（第一操作速度閾値、第二操作速度閾値）を超えると、運転者の意図が加速意図であると推定する。
【００２６】
なお、図３（ａ）、図３（ｃ）、図４（ａ）及び図４（ｃ）中に示すように、加減速ペダル１４の開度が「０」である状態では、加減速Ｇ算出部２０が、車両Ｖに発生させる制動力を最大値とする制動力信号を、制動力算出部２２へ出力する。そして、加減速ペダル１４の開度が増加するにつれて、図３（ａ）、図３（ｃ）、図４（ａ）及び図４（ｃ）中に示すように、車両Ｖに発生させる制動力を最大値から減少させる制動力信号を、制動力算出部２２へ出力する。
ここで、車両Ｖに発生させる制動力を最大値とする制動力信号が含む制動力指令値は、初期制動力指令値であり、予め設定する。
【００２７】
所定操作量補正部１８は、大きな加速意図を含む運転者意図信号の入力を受けると、予め設定している中立点であり、基準となる初期値の中立点（基準中立点）を、初期値の基準中立点に対応する値よりも小さいペダル開度に対応する値に変化させる。これにより、所定操作量補正部１８は、運転者による加速意図が大きい場合、図３（ａ）中に示すように、基準中立点を小さいペダル開度に対応する値に初期値から変化させて補正し、補正後の中立点（補正中立点）を算出する。なお、図３（ａ）中では、初期値の基準中立点を「基準中立点」と示し、初期値から変化させた基準中立点を「補正中立点」と示す。
すなわち、基準中立点は、補正していない初期値の所定操作量に対応する。
ここで、大きな加速意図を含む運転者意図信号の入力を受けた場合の、基準中立点の初期値からの変化量は、第一操作速度閾値を超えている加減速ペダル１４の操作速度に応じた量とする。具体的には、加減速ペダル１４の操作速度のうち、第一操作速度閾値を超えている量が大きいほど、小さいペダル開度に対応する値への、基準中立点の初期値からの変化量を大きくする。
【００２８】
また、所定操作量補正部１８は、小さな加速意図を含む運転者意図信号の入力を受けると、基準中立点を、運転者による加速意図が大きい場合よりも少ない変化量で、初期値の基準中立点に対応する値よりも小さいペダル開度に対応する値に初期値から変化させる。これにより、所定操作量補正部１８は、図４（ａ）中に示すように、運転者による加速意図が大きい場合よりも少ない変化量で、基準中立点を小さいペダル開度に対応する値に初期値から変化させて、補正中立点を算出する。なお、図４（ａ）中では、図３（ａ）と同様、初期値の基準中立点を「基準中立点」と示し、初期値から変化させた基準中立点を「補正中立点」と示す。
ここで、大きな加速意図を含む運転者意図信号の入力を受けた場合の、基準中立点の初期値からの変化量は、第一操作速度閾値を超えている加減速ペダル１４の操作速度に応じた量とする。具体的には、加減速ペダル１４の操作速度のうち、第一操作速度閾値を超えている量が大きいほど、小さいペダル開度に対応する値への、基準中立点の初期値からの変化量を大きくする。
【００２９】
一方、小さな加速意図を含む運転者意図信号の入力を受けた場合の、基準中立点の初期値からの変化量は、第二操作速度閾値を超えている加減速ペダル１４の操作速度に応じた量とする。具体的には、加減速ペダル１４の操作速度のうち、第二操作速度閾値を超えている量が大きいほど、小さいペダル開度に対応する値への、基準中立点の初期値からの変化量を大きくする。
すなわち、小さな加速意図を含む運転者意図信号の入力を受けた場合の、小さいペダル開度に対応する値への、基準中立点の初期値からの変化量は、大きな加速意図を含む運転者意図信号の入力を受けた場合よりも小さい。
【００３０】
以上により、所定操作量補正部１８は、加減速意図推定部１６が推定した運転者の加減速の意図に応じて、基準中立点を初期値から変化させた補正中立点を算出する。これにより、所定操作量補正部１８は、加減速意図推定部１６が推定した運転者の加減速の意図に応じて、所定操作量を補正する。具体的には、運転者の意図が加速意図であると判断すると、所定操作量を初期値から小さく補正（減少補正）する。
また、所定操作量補正部１８は、加減速意図推定部１６が推定した運転者の意図が加速意図であると、その加速意図が大きいほど、基準中立点に対する初期値からの変化量が大きくなるように補正中立点を算出する。これにより、所定操作量補正部１８は、加減速意図推定部１６が推定した運転者の意図が加速意図であると、加速意図が大きいほど、所定操作量を初期値から小さく補正（減少補正）する。
【００３１】
なお、図３及び図４中には、一例として、補正中立点を、ペダル開度の変化や経過時間等に応じて変化させることなく、一定の値に保持する場合を示す。
加速意図に応じた補正中立点を算出した所定操作量補正部１８は、補正中立点を含む中立点信号を、加減速Ｇ算出部２０へ出力する。
加減速Ｇ算出部２０は、入力を受けた中立点信号が含む補正中立点と、アクセル操作量センサ２から入力を受けた踏み込み操作量信号が含む踏み込み操作量を比較する。そして、踏み込み操作量に応じたペダル開度が補正中立点以下である状態では、加減速ペダル１４の開度が増加するにつれて、車両Ｖに発生させる制動力を最大値から減少させる制動力信号を、制動力算出部２２へ出力する。
【００３２】
一方、踏み込み操作量に応じたペダル開度が補正中立点を超えると、この時点ｔ２において、加減速Ｇ算出部２０は、制動力算出部２２への制動力信号の出力を停止するとともに、車両Ｖに駆動力を発生させる駆動力信号を、駆動力算出部２４へ出力する。さらに、時点ｔ２から、加減速ペダル１４の開度が増加するにつれて、車両Ｖに発生させる駆動力を増加させる駆動力信号を、駆動力算出部２４へ出力する。
また、時点ｔ２以降は、加減速ペダル１４の開度に応じた駆動力を発生させるための駆動力信号を、駆動力算出部２４へ出力する。なお、図３及び図４中には、一例として、加減速ペダル１４の開度が連続的に増加する場合を示す。このため、図３及び図４中には、時点ｔ２以降、加減速ペダル１４の開度が増加するにつれて、駆動力指令値を増加させる場合を示す。
【００３３】
なお、図３（ｃ）及び図４（ｃ）中では、初期値の基準中立点に応じた制動力指令値を破線で示し、補正中立点に応じた制動力指令値を実線で示す。同様に、図３（ｄ）及び図４（ｄ）中では、初期値の基準中立点に応じた駆動力指令値を破線で示し、補正中立点に応じた駆動力指令値を実線で示す。
ここで、初期値の基準中立点を補正中立点に補正すると、基準中立点を初期値から変化させない場合と比較して、運転者による加減速ペダル１４の開度増加に対し、駆動力が発生するまでの経過時間（時点ｔ２までに経過する時間）を短縮することが可能となる。なお、図３及び図４中では、基準中立点を初期値から変化させない場合に、制駆動力コントローラ４が出力する指令信号を制動指令信号から駆動指令信号に切り替える時点を、「ｔ３」と示す。
また、運転者の加速意図が大きい場合、運転者の加速意図が小さい場合と比較して、運転者による加減速ペダル１４の開度増加に対し、駆動力が発生するまでの経過時間（時点ｔ１から時点ｔ２までに経過する時間）を短縮することが可能となる。
【００３４】
したがって、制駆動力コントローラ４は、車両Ｖの停車状態等、運転者が加減速ペダル１４を未操作の状態では最大値の制動力を発生させる。また、加減速ペダル１４の操作量が基準中立点未満である領域では、加減速ペダル１４の操作量が増加するにつれて制動力を最大値から減少させ、加減速ペダル１４の操作量が基準中立点以上である領域では、加減速ペダル１４の操作量に応じた駆動力を発生させる。すなわち、制駆動力コントローラ４は、アクセル操作量センサ２が検出した加減速ペダル１４の操作量が未操作の状態から所定操作量未満である範囲では、操作量の増加に応じて制動力指令値を初期制動力指令値から減少させる。また、アクセル操作量センサ２が検出した加減速ペダル１４の操作量が所定操作量以上である範囲では、所定操作量と検出した加減速ペダル１４の操作量との偏差に応じた駆動力指令値を設定する。
また、制駆動力コントローラ４は、加減速意図推定部１６が推定した意図が加速意図であると、加減速ペダル１４の操作量が補正中立点以上である領域では、加減速ペダル１４の操作量に応じた駆動力を発生させる。
【００３５】
以上により、本実施形態の制駆動力制御装置１では、運転者による加減速ペダル１４の操作速度が速く、制動力指令値が最大値から「０」になるまでの傾きを、加減速ペダル１４の操作速度に応じて増加させることが可能となる。これにより、運転者による加速意図が大きいほど、制動力が最大値である発進時から駆動力が発生するまでに経過する時間を短縮することが可能となり、運転者の加速意図を、車両Ｖの挙動に反映させることが可能となる。
すなわち、本実施形態では、基準中立点を初期値から変化させて補正中立点を算出することにより、基準中立点を初期値から変化させない場合と比較して、駆動力が発生する時点を、図３及び図４中に示す時点ｔ３から時点ｔ２へ変化させることが可能となる。これにより、基準中立点を初期値から変化させて補正中立点を算出することにより、基準中立点を初期値から変化させない場合と比較して、加減速ペダル１４の開度が小さい領域において、運転者の加速意図を車両Ｖの挙動に反映させることが可能となる。
【００３６】
なお、特に図示しないが、加減速ペダル１４の開度が「０」である状態から判定時間ｔ１が経過するまでの加減速ペダル１４の操作速度が第二操作速度閾値以下である場合は、基準中立点を初期値から変化させない処理を行う。ここで、加減速ペダル１４の開度が「０」である状態から判定時間ｔ１が経過するまでの加減速ペダル１４の操作速度が第二操作速度閾値以下である場合は、運転者の意図が加速意図ではない場合に相当する。
したがって、所定操作量補正部１８は、加減速意図推定部１６が推定した運転者の意図が加速意図であると、基準中立点の初期値に対応する加減速ペダル１４の操作量よりも少ない加減速ペダル１４の操作量で車両Ｖに駆動力が発生するように、補正中立点を算出する。すなわち、所定操作量補正部１８は、加減速意図推定部１６が推定した運転者の意図が加速意図であると判断すると、所定操作量を初期値よりも小さく補正する。
【００３７】
・運転者の車速維持意図に応じた処理
次に、図１から図４を参照しつつ、図５を用いて、運転者の意図が車速の維持である場合に、制駆動力コントローラ４が行う処理について説明する。
運転者の意図が車速の維持である場合に、制駆動力コントローラ４が行う処理は、例えば、図５中に示す処理である。
なお、以降の説明は、運転者の加速意図に応じて基準中立点を初期値から変化させて補正中立点に補正した後、運転者の意図が加速から車速の維持へ変化した場合に制駆動力コントローラ４が行う処理について説明する。
【００３８】
また、図５中には、一例として、運転者の意図が加速から車速の維持へ変化するまでは、基準中立点を、加減速ペダル１４の開度に関わらず、加減速ペダル１４の操作速度の変化に応じて初期値から変化させる場合を示す。したがって、図５中に示す処理では、運転者による加減速ペダル１４の操作が行われると、運転者の意図が加速から車速の維持へ変化するまでは、基準中立点を初期値から変化させる処理を行う。また、図５中に示す処理では、運転者の意図が加速から車速の維持へ変化するまでは、加減速ペダル１４の操作速度が速いほど、基準中立点の初期値からの変化量を大きくする処理を行う。
【００３９】
図５は、運転者の意図が加速から車速の維持へ変化した場合に、制駆動力コントローラ４が行う処理を示すタイムチャートである。また、図５中では、横軸に経過時間（図中では、「ｔｉｍｅ」と記載する）を示す。また、図５（ａ）中では、縦軸に加減速ペダル１４の開度（図中では、「ペダル開度」と記載する）を示し、図５（ｂ）中では、縦軸に加減速ペダル１４の操作速度（図中では、「ペダル操作速度」と記載する）を示す。さらに、図５（ａ）、図５（ｃ）及び図５（ｄ）中では、初期値の基準中立点を「基準中立点」と示す。また、図５（ｃ）及び図５（ｄ）中では、初期値から変化させた基準中立点を「補正中立点」と示す。
【００４０】
図５中に示す処理では、図５（ｄ）中に示すように、加減速ペダル１４の操作速度の変化に応じて変化させる補正中立点と、加減速ペダル１４の開度との差分を算出する。なお、図５（ｄ）中では、補正中立点を点線で示し、加減速ペダル１４の開度を実線で示す。
そして、加減速ペダル１４の開度が補正中立点未満である場合には、加減速Ｇ算出部２０が、加減速ペダル１４の開度が増加するにつれて、車両Ｖに発生させる制動力を最大値から減少させる制動力信号を、制動力算出部２２へ出力する。
一方、加減速ペダル１４の開度が補正中立点を超える場合には、加減速Ｇ算出部２０が、加減速ペダル１４の開度が増加するにつれて、車両Ｖに発生させる駆動力を増加させる駆動力信号を、駆動力算出部２４へ出力する。
【００４１】
補正中立点を超えた後に増加する加減速ペダル１４の開度が一定値に保持されると、この時点ｔ４において、加減速意図推定部１６は、運転者の意図が車速の維持であると推定する。そして、推定した意図を含む運転者意図信号を、所定操作量補正部１８へ出力する。
所定操作量補正部１８は、車速の維持である意図（車速維持意図）を含む運転者意図信号の入力を受けると、初期値から変化させていた基準中立点が時間の経過に応じて初期値へ復帰するように、補正中立点を算出する。そして、車速維持意図に応じて算出した補正中立点を含む中立点信号を、加減速Ｇ算出部２０へ出力する。
【００４２】
すなわち、所定操作量補正部１８は、加減速意図推定部１６が推定した意図が加速意図から車速維持意図に変化すると、加速意図の大きさに応じて初期値から変化させた基準中立点が時間の経過につれて初期値へ復帰するように、補正中立点を算出する。これにより、所定操作量補正部１８は、加減速意図推定部１６が推定した意図が加速意図から車速維持意図に変化すると、加速意図の大きさに応じて補正した初期値から所定操作量が時間の経過につれて初期値へ復帰するように、所定操作量を補正する。
時点ｔ４以降、時間の経過に応じて変化した基準中立点が初期値へ復帰すると、その時点ｔ５以降、加減速ペダル１４の開度が変化しない場合は、基準中立点を初期値に維持する。これにより、時点ｔ５以降、加減速ペダル１４の開度が変化しない場合は、車速を維持する駆動力を発生させるための駆動力信号を、駆動力算出部２４へ出力する。
【００４３】
以上により、本実施形態の制駆動力制御装置１では、車両Ｖに発生させる駆動力を、運転者の意図が車速の維持となった時点で即座に減少させることなく、時間の経過につれて徐々に減少させることが可能となる。これにより、中立点の変化によって駆動力の大きさが変化していることを、運転者が直接的に感じることを抑制し、車速維持意図を有する運転者が失速感を感じることを抑制することが可能となるため、運転者の意図を、車両Ｖの挙動に反映させることが可能となる。
【００４４】
・運転者の減速意図に応じた処理
次に、図１から図５を参照しつつ、図６を用いて、運転者の意図が加速から減速へ変化した場合に、制駆動力コントローラ４が行う処理について説明する。
運転者の意図が加速から減速へ変化した場合に、制駆動力コントローラ４が行う処理は、例えば、図６中に示す処理である。
なお、以降の説明は、運転者の加速意図に応じて基準中立点を初期値から変化させた後、運転者の意図が加速から減速へ変化した場合に制駆動力コントローラ４が行う処理について説明する。
【００４５】
また、図６中には、一例として、運転者の意図が加速から減速へ変化するまでは、基準中立点を、加減速ペダル１４の開度に関わらず、加減速ペダル１４の操作速度の変化に応じて初期値から変化させる場合を示す。したがって、図６中に示す処理では、運転者による加減速ペダル１４の操作が行われると、運転者の意図が加速から減速へ変化するまでは、基準中立点を初期値から変化させる処理を行う。また、図６中に示す処理では、運転者の意図が加速から減速へ変化するまでは、加減速ペダル１４の操作速度が速いほど、基準中立点を初期値から大きく変化させる処理を行う。
【００４６】
図６は、運転者の意図が加速から減速へ変化した場合に、制駆動力コントローラ４が行う処理を示すタイムチャートである。また、図６中では、横軸に経過時間（図中では、「ｔｉｍｅ」と記載する）を示す。また、図６（ａ）中では、縦軸に加減速ペダル１４の開度（図中では、「ペダル開度」と記載する）を示し、図６（ｂ）中では、縦軸に加減速ペダル１４の操作速度（図中では、「ペダル操作速度」と記載する）を示す。さらに、図６（ａ）及び図６（ｃ）中では、初期値の基準中立点を「基準中立点」と示す。また、図６（ｃ）中では、初期値から変化させた基準中立点を「補正中立点」と示す。
図６中に示す処理では、運転者の加速意図に応じて増加していた加減速ペダル１４の開度が減少を開始すると、この時点ｔ６において、加減速意図推定部１６は、運転者の意図が加速から減速へ変化したと算出する。そして、算出した減速意図を含む運転者意図信号を、所定操作量補正部１８へ出力する。
【００４７】
所定操作量補正部１８は、減速意図を含む運転者意図信号の入力を受けると、初期値から変化させていた基準中立点が時間の経過に応じて初期値へ復帰するように、補正中立点を算出する。そして、減速意図に応じて算出した補正中立点を含む中立点信号を、加減速Ｇ算出部２０へ出力する。
具体的には、減速意図を含む運転者意図信号の入力を受けた所定操作量補正部１８は、加減速ペダル１４の開度と車両Ｖに発生させる制動力との割合が一定となるように、時間の経過とともに減少する加減速ペダル１４の開度に応じて、補正中立点を算出する。
【００４８】
すなわち、所定操作量補正部１８は、加減速意図推定部１６が推定した意図が加速意図から減速意図に変化すると、加速意図の大きさに応じて初期値から変化させた基準中立点が時間の経過につれて初期値へ復帰するように、補正中立点を算出する。これにより、所定操作量補正部１８は、加減速意図推定部１６が推定した意図が加速意図から減速意図に変化すると、加速意図の大きさに応じて初期値から補正した所定操作量が時間の経過につれて初期値へ復帰するように、所定操作量を補正する。
時点ｔ６以降、時間の経過に応じて初期値から変化させた基準中立点が初期値へ復帰すると、その時点ｔ７以降は、加減速ペダル１４の開度に関わらず、基準中立点を初期値に維持する。これにより、時点ｔ７以降は、加減速ペダル１４の開度が初期値の基準中立点と等しくなるまでは、加減速ペダル１４の開度に応じて、駆動力を減少させるための駆動力信号を駆動力算出部２４へ出力する。そして、加減速ペダル１４の開度が初期値の基準中立点未満となると、この時点ｔ８からは、制動力を増加させるための制動力信号を制動力算出部２２へ出力する。
【００４９】
以上により、本実施形態の制駆動力制御装置１では、車両Ｖに発生させる駆動力を、運転者の意図が加速から減速へ変化した時点で即座に減少させることなく、時間の経過につれて徐々に減少させることが可能となる。また、加減速ペダル１４の開度と車両Ｖに発生させる制動力との割合が一定となるように、時間の経過とともに減少する加減速ペダル１４の開度に応じて、初期値から変化させている基準中立点を初期値へ復帰させる。
これにより、意図が加速から減速へ変化した運転者による加減速ペダル１４の操作状態に応じて、減速状態の車両Ｖに発生させる駆動力及び制動力を変化させることが可能となる。このため、車両Ｖに発生する前後方向への加速度を、減速意図を有する運転者により制御することが可能となり、運転者の意図を、車両Ｖの挙動に反映させることが可能となる。
【００５０】
（動作）
次に、図１から図６を参照しつつ、図７及び図８を用いて、本実施形態の制駆動力制御装置１を用いて行なう動作の一例を説明する。
図７は、本実施形態の制駆動力制御装置１を用いて行なう動作のタイムチャートである。
なお、以降の説明は、運転者の意図が、加速意図から車速維持意図へ変化する場合の動作について説明する。
また、図７中には、一例として、運転者が加速意図から車速維持意図へ変化する時点までは、基準中立点を、加減速ペダル１４の開度に関わらず、加減速ペダル１４の操作速度の変化に応じて初期値から変化させる場合を示す。したがって、図７中に示す処理では、運転者による加減速ペダル１４の操作が行われると、運転者の意図が加速意図から車速維持意図へ変化するまでは、基準中立点を初期値から変化させる処理を行う。また、図７中に示す処理では、運転者の意図が加速意図から車速維持意図へ変化するまでは、加減速ペダル１４の操作速度が速いほど、基準中立点を初期値から大きく変化させる処理を行う。
【００５１】
なお、図７中では、横軸に経過時間（図中では、「ｔｉｍｅ」と記載する）を示す。また、図７（ａ）中では、縦軸に加減速ペダル１４の開度（図中では、「ペダル開度」と記載する）を示し、図７（ｂ）中では、縦軸に加減速ペダル１４の操作速度（図中では、「ペダル操作速度」と記載する）を示す。さらに、図７（ａ）、図７（ｃ）〜（ｅ）中では、初期値の基準中立点を「基準中立点」と示す。また、図７（ｃ）〜（ｅ）中では、初期値から変化させた基準中立点を「補正中立点」と示す。
制駆動力制御装置１が処理を開始すると、図７（ｃ）中に示すように、基準中立点を、加減速ペダル１４の開度に関わらず、加減速ペダル１４の操作速度の変化に応じて初期値から変化させる。
【００５２】
また、制駆動力制御装置１が処理を開始すると、図７（ｅ）中に示すように、加減速ペダル１４の操作速度の変化に応じて初期値から変化させる基準中立点（補正中立点）と、加減速ペダル１４の開度との差分を算出する。なお、図７（ｅ）中では、補正中立点を点線で示し、加減速ペダル１４の開度を実線で示す。
そして、加減速ペダル１４の開度から補正中立点を除算して、補正中立点と加減速ペダル１４の開度との差分を、制御用ペダル開度として算出する。
【００５３】
また、制駆動力制御装置１が処理を開始すると、図７（ｄ）中に示すように、加減速ペダル１４の操作速度の変化に応じて初期値から変化させる基準中立点（補正中立点）と、加減速ペダル１４の全開開度との差分を算出する。なお、加減速ペダル１４の全開開度とは、加減速ペダル１４を最大値まで踏み込み操作した状態における、加減速ペダル１４の開度である。
そして、加減速ペダル１４の全開開度から補正中立点を除算して、補正中立点と加減速ペダル１４の全開開度との差分を、ペダル開度基準値として算出する。
上記のように制御用ペダル開度及びペダル開度基準値を算出すると、これらの算出した制御用ペダル開度及びペダル開度基準値を以下の式（１）へ入力して、制駆動力算出用ペダル開度を算出する。
制駆動力算出用ペダル開度＝制御用ペダル開度／ペダル開度基準値  …  （１）
【００５４】
次に、上記の式（１）を用いて算出した制駆動力算出用ペダル開度を、図８中に示すマップに入力して、制動力指令値または駆動力指令値を算出する。なお、図８は、制駆動力算出用ペダル開度と制動力指令値及び駆動力指令値との関係を示すマップである。具体的には、図８（ａ）は、制駆動力算出用ペダル開度と駆動力指令値との関係を示すマップであり、図８（ｂ）は、制駆動力算出用ペダル開度と制動力指令値との関係を示すマップである。
上記のように算出した制駆動力算出用ペダル開度に応じて、制動力信号の制動力算出部２２への出力、または、駆動力信号の駆動力算出部２４への出力を行う。そして、補正中立点を超えた後に増加する加減速ペダル１４の開度が一定値に保持されると、この時点ｔ４において、運転者の意図が加速意図から車速維持意図へ変化する。したがって、初期値から変化させていた基準中立点が時間の経過に応じて初期値へ復帰するように、基準中立点を変化させる。
【００５５】
時点ｔ４以降、時間の経過に応じて初期値から変化させていた基準中立点が初期値へ復帰すると、その時点ｔ５以降、加減速ペダル１４の開度が変化しない場合は、基準中立点を初期値に維持する。これにより、制駆動力算出用ペダル開度が一定値に維持されるため、加減速Ｇ算出部２０は、車速を維持する駆動力を発生させるための駆動力信号を、駆動力算出部２４へ出力する。
なお、上述した加減速ペダル１４は、制駆動力操作子に対応する。
また、上述したアクセル操作量センサ２は、操作子操作量検出部に対応する。
また、上述した制駆動力コントローラ４は、制駆動力制御部に対応する。
【００５６】
また、上述したように、本実施形態の制駆動力制御装置１の動作で実施する制駆動力制御方法では、運転者による加減速ペダル１４の操作量を検出する。そして、検出した加減速ペダル１４の操作量が未操作の状態から所定操作量未満である領域では、検出した加減速ペダル１４の操作量の増加に応じて制動力指令値を初期制動力指令値から減少させる。一方、検出した加減速ペダル１４の操作量が所定操作量以上である領域では、所定操作量と検出した加減速ペダル１４の操作量との偏差に応じた駆動力指令値を設定する。
これに加え、検出した加減速ペダル１４の操作量に応じて推定した運転者の加減速の意図が加速意図であると、所定操作量を小さく補正する。
【００５７】
（第一実施形態の効果）
本実施形態の制駆動力制御装置１であれば、以下に記載する効果を奏することが可能となる。
（１）所定操作量補正部１８が、加減速意図推定部１６が推定した運転者の意図が加速意図であると、初期値の所定操作量に対応する操作量よりも少ない加減速ペダル１４の操作量で駆動力指令値を設定するように、所定操作量を小さく補正する。すなわち、運転者の意図が加速意図であると、初期値の所定操作量に対応する操作量よりも少ない加減速ペダル１４の操作量で駆動力指令値を設定するように、所定操作量を減少補正する。
このため、運転者の意図が加速意図であると、初期値の所定操作量に対応する操作量よりも少ない加減速ペダル１４の操作量で、検出した加減速ペダル１４の操作量の増加分に応じた駆動力を、車両Ｖに発生させることが可能となる。
【００５８】
その結果、運転者が加速意図を持って加減速ペダル１４を操作した場合に、加減速ペダル１４の操作量が初期値の所定操作量未満であっても、車両Ｖに駆動力を発生させて加速度を発生させることが可能となる。これにより、加減速ペダル１４の操作量が初期値から変化させた所定操作量未満である範囲、すなわち、車両Ｖに制動力が発生する範囲を減少させることが可能となるため、運転者の加速意図に対し、車両Ｖの挙動への反映度合いを向上させることが可能となる。
また、運転者の意図が加速意図ではない場合には、初期値の所定操作量において、制動力から駆動力への出力の切り換えを行う。このため、運転者の意図が加速意図ではない場合には、一つのペダル（加減速ペダル１４）のみにより制動力及び駆動力を制御する効果、すなわち、従来と同様の効果を奏することが可能となる。
【００５９】
（２）所定操作量補正部１８が、加減速意図推定部１６が推定した運転者の意図が加速意図であると、その加速意図が大きいほど、初期値からの変化量が大きくなるように、所定操作量を小さく補正する。すなわち、運転者の意図が加速意図であると、その加速意図が大きいほど、初期値からの変化量が大きくなるように、所定操作量を減少補正する。
このため、運転者の加速意図が大きいほど、加減速ペダル１４の操作量が少ない状態で、車両Ｖに駆動力のみを発生させることが可能となる。
その結果、運転者が加速意図を持って加減速ペダル１４を操作した場合に、運転者の加速意図が大きいほど、加減速ペダル１４の操作量が少ない状態で、車両Ｖに加速度を発生させることが可能となる。これにより、運転者の加速意図に対し、車両Ｖの挙動への反映度合いを向上させることが可能となる。
【００６０】
（３）加減速意図推定部１６が、加減速ペダル１４の操作速度が増加して操作速度閾値（第一操作速度閾値、第二操作速度閾値）を超えると、運転者の意図が加速意図であると推定する。
このため、加減速ペダル１４の操作、すなわち、運転者による車両Ｖの操縦時に必須の動作に基づく加減速ペダル１４の操作速度を参照することにより、運転者の意図を推定することが可能となる。
その結果、運転者の意図を推定するための構成を車両Ｖに追加することなく、運転者の意図を推定することが可能となる。
【００６１】
（４）所定操作量補正部１８が、加減速意図推定部１６が推定した運転者の意図が加速意図から車速維持意図に変化すると、加速意図の大きさに応じて補正した所定操作量が時間の経過につれて初期値へ復帰するように、所定操作量を補正する。
このため、車両Ｖに発生させる駆動力を、運転者の意図が車速の維持となった時点で即座に減少させることなく、時間の経過につれて徐々に減少させることが可能となる。
その結果、中立点の変化によって駆動力の大きさが変化していることを、運転者が直接的に感じることを抑制し、車速維持意図を有する運転者が失速感を感じることを抑制することが可能となる。これにより、運転者の意図を、車両Ｖの挙動に反映させることが可能となる。
【００６２】
（５）所定操作量補正部１８が、加減速意図推定部１６が推定した運転者の意図が加速意図から減速意図に変化すると、加速意図の大きさに応じて補正した所定操作量が時間の経過につれて初期値へ復帰するように、所定操作量を補正する。
このため、車両Ｖに発生させる駆動力を、運転者の意図が加速から減速へ変化した時点で即座に減少させることなく、時間の経過につれて徐々に減少させることが可能となる。
その結果、意図が加速から減速へ変化した運転者による加減速ペダル１４の操作状態に応じて、減速状態の車両Ｖに発生させる駆動力及び制動力を変化させることが可能となる。これにより、車両Ｖに発生する前後方向への加速度を、減速意図を有する運転者により制御することが可能となり、運転者の意図を、車両Ｖの挙動に反映させることが可能となる。
【００６３】
（６）本実施形態の制駆動力制御装置１の動作で実施する制駆動力制御方法では、運転者の意図が加速意図であると判断すると、初期値の所定操作量に対応する操作量よりも少ない加減速ペダル１４の操作量で駆動力が発生するように、所定操作量を小さく補正する。すなわち、運転者の意図が加速意図であると、初期値の所定操作量に対応する操作量よりも少ない加減速ペダル１４の操作量で駆動力指令値を設定するように、所定操作量を減少補正する。
このため、運転者の意図が加速意図であると、初期値の所定操作量に対応する操作量よりも少ない加減速ペダル１４の操作量で、検出した加減速ペダル１４の操作量の増加分に応じた駆動力を、車両Ｖに発生させることが可能となる。
【００６４】
その結果、運転者が加速意図を持って加減速ペダル１４を操作した場合に、加減速ペダル１４の操作量が初期値の所定操作量未満であっても、車両Ｖに駆動力を発生させて加速度を発生させることが可能となる。これにより、加減速ペダル１４の操作量が初期値から変化させた所定操作量未満である領域、すなわち、車両Ｖに制動力が発生する領域を減少させることが可能となるため、運転者の加速意図に対し、車両Ｖの挙動への反映度合いを向上させることが可能となる。
また、運転者の意図が加速意図ではない場合には、初期値の所定操作量において、制動力から駆動力への出力の切り換えを行う。このため、運転者の意図が加速意図ではない場合には、一つのペダルのみにより制動力及び駆動力を制御する効果、すなわち、従来と同様の効果を奏することが可能となる。
【００６５】
（変形例）
（１）本実施形態では、動力ユニット１２を、エンジンを用いて形成したが、動力ユニット１２の構成は、これに限定するものではない。すなわち、動力ユニット１２を、例えば、モータを用いて形成してもよく、また、エンジン及びモータを用いて形成してもよい。
（２）本実施形態では、制駆動力操作子を運転者が足で踏み込み操作する加減速ペダル１４としたが、制駆動力操作子の構成は、これに限定するものではない。すなわち、例えば、制駆動力操作子を、運転者が手で操作するレバーとしてもよい。
【符号の説明】
【００６６】
１    制駆動力制御装置
２    アクセル操作量センサ
４    制駆動力コントローラ
６    ブレーキアクチュエータ
８    ホイールシリンダ
１０  動力コントロールユニット
１２  動力ユニット
１４  加減速ペダル
１６  加減速意図推定部
１８  所定操作量補正部
２０  加減速Ｇ算出部
２２  制動力算出部
２４  駆動力算出部
Ｖ    車両
【図１】
2015067264.tif 000003
【図２】
2015067264.tif 000004
【図３】
2015067264.tif 000005
【図４】
2015067264.tif 000006
【図５】
2015067264.tif 000007
【図６】
2015067264.tif 000008
【図７】
2015067264.tif 000009
【図８】
2015067264.tif 000010